(57)【特許請求の範囲】
【請求項１】
多数の加工箇所（２４.１，２４.２）を備えたテクスチャリング加工機であって、前記加工箇所（２４.１，２４.２）は、鏡面対称に配置された２つの機械半部（１.１，１.２）に、互いに向かい合って位置する機械長辺側に沿って分配配置されており、前記機械半部（１.１，１.２）はそれぞれ、複数のテクスチャリングアセンブリ（１２.１，ｌ２.２）を収容するために各１つのプロセスフレーム（２.１，２.２）を有し、複数の巻取りアセンブリ（１２.１，ｌ２.２）を収容するために各１つの巻取りフレーム（３.１，３.２）を有し、かつ複数の供給パッケージ（１６.１，１６.２）を収容するためにクリールフレーム（５.１，５.２）を有しており、このとき前記機械半部（１.１，１.２）の前記テクスチャリングアセンブリ（１１.１，１１.２）に対応して、少なくとも１つの操作通路（６）が配置されている、テクスチャリング加工機において、
前記機械半部（１.１，１.２）の前記プロセスフレーム（２.１，２.２）は、鏡面対称平面（２３）に対して間隔をおいて互いに向かい合って位置するように配置されていて、かつ間に前記操作通路（６）を形成していることを特徴とする、テクスチャリング加工機。
【請求項２】
前記巻取りフレーム（３.１，３.２）は、前記プロセスフレーム（２.１，２.２）の、前記操作通路（６）とは反対の側に配置されており、前記巻取りフレーム（３.１，３.２）には、前記両機械長辺側に、ドッフィング通路（７.１，７.２）が対応して配置されている、請求項１記載のテクスチャリング加工機。
【請求項３】
前記両機械半部（１.１，１.２）の前記プロセスフレーム（２.１，２.２）は、前記両機械半部（１.１，１.２）の前記巻取りフレーム（３.１，３.２）の上に配置されたプラットフォーム（２２）に形成されており、前記巻取りフレーム（３.１，３.２）には前記両機械長辺側に、ドッフィング通路（７.１，７.２）が対応して配置されている、請求項１記載のテクスチャリング加工機。
【請求項４】
前記クリールフレーム（５.１，５.２）は、前記巻取りフレーム（３.１，３.２）に対して間隔をおいて、前記ドッフィング通路（７.１，７.２）に沿って配置されている、請求項２又は３記載のテクスチャリング加工機。
【請求項５】
前記テクスチャリングアセンブリ（１１.１，１１.２）には、機械半部（１.１，１.２）毎に、糸を加熱するための複数の加熱装置（９.１，９.２）が前置されており、該加熱装置（９.１，９.２）は、対応する機械半部（１.１，１.２）において、機械長手方向において傾斜して斜めに位置するように、一緒に１つの平面に配置されている、請求項１から４までのいずれか１項記載のテクスチャリング加工機。
【請求項６】
前記機械半部（１.１，１.２）において互いに向かい合って位置する前記加熱装置（９.１，９.２）は、互いに平行に又は互いに鏡面対称に配置されている、請求項５記載のテクスチャリング加工機。
【請求項７】
前記機械半部（１.１，１.２）の前記加熱装置（９.１，９.２）は、前記操作通路（６）の上において、前記プロセスフレーム（２.１，２.２）を結合する横桁（４）に保持されている、請求項５又は６記載のテクスチャリング加工機。
【請求項８】
前記機械半部（１.１，１.２）のうちの少なくとも１つの加熱装置（９.１，９.２）には、出口側に複数の冷却装置（１０.１，１０.２）が対応配置されており、かつ該冷却装置（１０.１，１０.２）及び前記加熱装置（９.１，９.２）は、該冷却装置（１０.１，１０.２）と該加熱装置（９.１，９.２）の間の平面内で、前記加工箇所（２４.１，２４.２）毎に各１つの真っ直ぐな糸走路を形成している、請求項５から７までのいずれか１項記載のテクスチャリング加工機。
【請求項９】
前記テクスチャリングアセンブリ（１１.１，１１.２）に、機械半部（１.１，１.２）毎に、糸を加熱するための複数の後加熱装置（１４.１，１４.２）が後置されており、該後加熱装置（１４.１，１４.２）は、対応する機械半部（１.１，１.２）において、機械長手方向において傾斜して斜めに位置するように、一緒に１つの平面に配置されている、請求項１から８までのいずれか１項記載のテクスチャリング加工機。
【請求項１０】
前記機械半部（１.１，１.２）の前記後加熱装置（１４.１，１４.２）は、前記プロセスフレーム（２.１，２.２）の下側領域に保持されている、請求項９記載のテクスチャリング加工機。
【請求項１１】
前記テクスチャリングアセンブリ（１１.１，１１.２）に、前記加工箇所（２４.１，２４.２）毎に糸を搬送及び延伸するために、複数の供給アセンブリ（８.１，８.２，２５.１，２５.２）が対応して配置されていて、該供給アセンブリ（８.１，８.２，２５.１，２５.２）は前記操作通路（６）から操作可能である、請求項１から１０までのいずれか１項記載のテクスチャリング加工機。
【発明の詳細な説明】
【技術分野】
【０００１】
本発明は、請求項１の前段部に記載の、多数の加工箇所を備えたテクスチャリング加工機に関する。
【０００２】
合成糸の製造時に、溶融紡糸プロセスにおいて製造された糸は、特にテキスタイル使用のために、後続プロセスにおいて巻縮される。この過程は、業界において「テクスチャリング」という概念で知られており、このとき合成糸は、テクスチャリングプロセスにおいて同時に延伸される。このようなテクスチャリングプロセスは、多数の加工箇所を有するテクスチャリング加工機を用いて実施される。各加工箇所において少なくとも１本の糸が、テクスチャリングアセンブリによって処理される。主としてこのとき糸は、テクスチャリングゾーンにおいて延伸され、テクスチャリング加工され、テクスチャリング後にパッケージに巻き取られる。例えばテクスチャリングアセンブリ、供給ユニット、加熱装置、冷却装置及び巻取りアセンブリのようなプロセスアセンブリは、加工箇所に分配配置され、かつ複数部分から成る機械フレームに配置されているので、加工箇所においては予め確定された糸走路が生ぜしめられる。このようなテクスチャリング加工機は、例えば欧州特許出願公開第０６４１８７７号明細書に基づいて公知である。
【０００３】
この公知のテクスチャリング加工機では、多数の加工箇所が２つの機械半部に分配配置されている。両機械半部は、鏡面対称に配置されていて、対称平面において互いに向かい合って位置している。各機械半部は、プロセスアセンブリを収容する複数のフレーム部分を有している。例えば、プロセスフレームが機械半部毎にテクスチャリングアセンブリを収容するために設けられ、かつ巻取りフレームが機械半部毎に巻取りアセンブリを収容するために設けられている。さらに両機械半部の機械長辺側には、クリールフレームが配置されており、これらのクリールフレームは、糸を準備するために複数の供給パッケージを保持している。特に加工箇所において糸を最初に仕掛ける場合に、テクスチャリングアセンブリを操作するために、各機械半部において１つの操作通路が複数のプロセスフレームに対応配置されている。さらに巻取りフレームには、ドッフィング通路が対応配置されており、これによって巻成された満管パッケージを巻取りアセンブリから取り出して搬出することができるようになっている。このときドッフィング通路は、両機械半部の互いに向かい合って位置するクリールフレームの間における対称平面に形成されている。
【０００４】
公知のテクスチャリング加工機では、確かに、両機械半部における巻成された満管パッケージの搬出を、１つのドッフィング通路から行うことができるようにすることが可能である。このときクリール装着のために必要なサービス作業は、外側の機械長辺側において実施する必要がある。満管パッケージを搬出する作業及び新しい供給パッケージを供給する作業は、しばしば一人又は複数の作業員によって実施されるので、追加的な距離もしくは道程が不可避である。
【０００５】
経済的かつコンパクトな機械配置形態を探すと、テクスチャリング加工機の別のコンセプトをも見つけることができる。例えば独国特許出願公開第３９３１８７８号明細書に基づいて公知のテクスチャリング加工機では、２つの巻取りフレームの間にドッフィング通路が形成されている。両巻取りフレームは、横桁を介して互いに結合されていて、この横桁は主として、プロセスアセンブリを収容するために働く。従って追加的な昇降手段（Steigmittel）によって、ドッフィング通路をプロセスアセンブリの操作のために使用することができる。このような場合には、パッケージ搬出及び操作を１つの共通のドッフィング通路から実施しなくてはならず、このことは、機械長辺側に沿って多数の加工箇所が設けられている配置形態では、しばしば妨害もしくは支障や衝突を引き起こす。
【０００６】
ゆえに本発明の課題は、前段部に記載したテクスチャリング加工機を改良して、機械の装置及び機械におけるパッケージ搬送を可能な限り効果的に実施できるようにすることである。
【０００７】
本発明の別の目的は、プロセスアセンブリの可能な限りコンパクトは配置形態を、両機械半部において実現することである。
【０００８】
前記課題を解決するために本発明の構成では、機械半部のプロセスフレームは、鏡面対称平面に対して間隔をおいて互いに向かい合って位置するように配置されていて、かつ間に操作通路を形成している。
【０００９】
本発明の好適な態様は、従属請求項の特徴及び特徴の組合せによって確定されている。
【００１０】
本発明は、両機械半部の加工箇所におけるプロセス開始のための又は糸切れに関連したすべての操作過程が、１つの操作通路から実施可能であることによって、傑出している。これによってテクスチャリングアセンブリのみならず、プロセスのために必要なプロセスアセンブリをも、好適に操作通路に対応配置させることができる。これによって操作員は、両機械半部の、テクスチャリングプロセスのために特に重要なすべてのプロセスアセンブリに対して、直に接近可能である。
【００１１】
パッケージ搬出のために本発明の別の態様では、巻取りアセンブリを収容する巻取りフレームは、プロセスフレームの、操作通路とは反対の側に配置されており、巻取りフレームには、両機械長辺側に、ドッフィング通路が対応配置されている。このように構成されていると、機械操作とパッケージ搬出とを互いに無関係に、相互の妨害影響なしに実施することができる。
【００１２】
利用可能空間及び供給空間に応じて使用することができる、テクスチャリング加工機の別の好適な態様では、両機械半部のプロセスフレームは、両機械半部の巻取りフレームの上に配置されたプラットフォームに形成されており、巻取りフレームには両機械長辺側に、ドッフィング通路が対応配置されている。これによって特に狭幅の機械横断面を実現することができる。
【００１３】
プロセスフレームと巻取りフレームとが互いに並んで配置されているか又は階層的に互いに上下に配置されているかとは無関係に、本発明の別の好適な態様によれば、クリールフレームは、巻取りフレームに対して間隔をおいて、ドッフィング通路に沿って配置されている。この場合例えば、パッケージの搬出及び供給パッケージの供給を好ましくは、ドッフィング通路を介して両機械長辺側において実現することができる。
【００１４】
プロセスユニットを操作するために好適な低い構造形式を得るために、本発明の特に好適な別の態様によれば、テクスチャリングアセンブリには、機械半部毎に、糸を加熱するための複数の加熱装置が前置されており、該加熱装置は、対応する機械半部において、機械長手方向において傾斜して、一緒に１つの平面に配置されている。傾斜して互いに並んで配置された加熱装置によって、僅かな構造高さを備えたコンパクトな配置形態においても、糸を温度調整する比較的長い加熱区間を実現することができる。さらに加熱装置を、近接して並んで位置する配置形態において保持することができるので、熱損失を最小にすることができる。
【００１５】
機械半部において、加工箇所のプロセスユニットの配置形態を鏡面対称に構成するために、本発明の別の好適な態様によれば、機械半部において互いに向かい合って位置する加熱装置は、互いに鏡面対称に配置されている。
【００１６】
加工箇所における鏡面対称性を断念した場合には、機械半部において互いに向かい合って位置する加熱装置を、互いに平行に配置することも可能である。このように構成されていると、両機械半部において同一の加熱装置を使用することができ、好適である。
【００１７】
傾斜した加熱装置が保持されている平面の構成及び傾斜に応じて、プロセスフレームにおける組込み及び、プロセスフレームを互いに結合する横桁における組込みが可能である。
【００１８】
加工箇所における糸摩擦、特に加工箇所のテクスチャリングゾーンにおける糸摩擦を可能な限り小さくするために、本発明の別の態様によれば、機械半部のうちの少なくとも１つの加熱装置には、出口側に複数の冷却装置が対応配置されており、かつ冷却装置及び加熱装置は、冷却装置及び加熱装置の間における平面に、加工箇所毎に各１つの真っ直ぐな糸走路を形成している。
【００１９】
後処理を必要とする糸材料がテクスチャリング加工される場合のために、特に適した本発明の別の態様では、テクスチャリングアセンブリに、機械半部毎に、糸を加熱するための複数の後加熱装置が後置されており、該後加熱装置は、対応する機械半部において、機械長手方向において傾斜して、一緒に１つの平面に配置されている。このように構成されていると、加熱装置の配置形態における利点を、後加熱装置の配置形態においても同様に利用することができる。後加熱装置の傾斜の大きさ及び方向を選択することによって、さらに巻取りアセンブリのポジションを、テクスチャリングゾーンにおける糸走路に適合させることができる。
【００２０】
機械半部の後加熱装置は、好ましくは、プロセスフレームの下側領域に保持されている。このように構成されていると、後加熱装置への糸の挿通を、操作通路から実施することができ、有利である。
【００２１】
加工箇所に設けられた供給ユニットは、同様に好適な態様によれば、好ましくは、供給ユニットが操作通路から操作可能であるように、テクスチャリングアセンブリに対応配置される。供給ユニットとしては、このとき個々に駆動されるゴデット又は押圧ローラを備えた軸システムをも使用することができる。
【００２２】
本発明は、テクスチャリングプロセスのために重要なすべてのプロセスアセンブリが、好適に、１つの操作通路の周りに集中的に配置されていて、両機械半部に対して中央において操作可能である、ということによって傑出している。プロセス開始時における最初の仕掛け及び糸切れ後における仕掛けは、操作員によって迅速かつ円滑に実施することができる。
【００２３】
本発明に係るテクスチャリング加工機は、基本的には、巻取りアセンブリのそれぞれの自動化レベルとは無関係である。例えば本発明に係るテクスチャリング加工機は、パッケージが自動的に交換される巻取りアセンブリを備えることも、又はパッケージが手動で交換される巻取りアセンブリを備えることもできる。
【００２４】
次に図面を参照しながら、本発明に係るテクスチャリング加工機の幾つかの実施の形態について、本発明をさらに詳しく説明する。
【図面の簡単な説明】
【００２５】
【図１】本発明に係るテクスチャリング加工機の第１の実施の形態を概略的に示す横断面図である。
【図２】図１に示した実施の形態を部分的にかつ概略的に示す側面図である。
【図３】図１に示した実施の形態を部分的にかつ概略的に示す平面図である。
【図４】本発明に係るテクスチャリング加工機の別の実施の形態を概略的に示す横断面図である。
【図５】図４に示した実施の形態を部分的にかつ概略的に示す側面図である。
【図６】図４に示した実施の形態を部分的にかつ概略的に示す平面図である。
【００２６】
図１〜図３には、多数の糸をテクスチャリング加工する、本発明に係るテクスチャリング加工機の第１の実施の形態が、種々異なった見方で示されている。図１には、本実施の形態が横断面図で示され、かつ図２及び図３には、それぞれ一部が側面図及び平面図で示されている。特に図面のうちの１つを指定しない場合には、以下の説明はすべての図面に対するものである。
【００２７】
テクスチャリング加工機の本実施の形態は、多数の加工箇所を有しており、これらの加工箇所は、２つの機械半部１.１，１.２において、それぞれ複数が互いに並んで配置されている。機械半部１.１，１.２においては、例えば機械半部毎に１００よりも多くの加工箇所が、互いに並んで配置されていてよい。
【００２８】
機械半部１.１，１.２は、鏡面対称平面２３において互いに向かい合って位置しており、フレーム及びプロセスアセンブリの構造及び配置形態において、鏡面対称に構成されている。
【００２９】
図１における図示から分かるように、各機械半部１.１，１.２は、プロセスフレーム２.１；２.２、巻取りフレーム３.１；３.２及びクリールフレーム５.１；５.２から形成されている。
【００３０】
両機械半部のプロセスフレーム２.１，２.２は、それぞれ鏡面対称平面２３に対して間隔をおいて、互いに向かい合って位置するように配置されていて、操作通路６を形成している。この操作通路６において、両機械半部の加工箇所が向かい合って位置している。図１には、機械半部１.１の加工箇所が符号２４.１で示され、機械半部１.２における加工箇所は符号２４.２で示されている。
【００３１】
互いに向かい合って位置するプロセスフレーム２.１，２.２は、横桁４によって互いに結合されており、この横桁４は、操作通路６の上において延びている。プロセスフレーム２.１及び横桁４には、加工箇所２４.１に対応配置された複数のプロセスアセンブリが保持されている。向かい合って位置するプロセスフレーム２.２には、加工箇所２４.２のプロセスアセンブリが配置されている。
【００３２】
加工箇所２４.１と加工箇所２４.２の構造は同じであり、単にプロセスアセンブリの鏡面対称の配置形態によってしか異なっていないので、以下においては、プロセスアセンブリを、加工箇所２４.１における糸走路を用いて、図１における図示を参照しながら詳説する。
【００３３】
加工箇所２４.１においてまず、糸１８.１が第１の供給ユニット８.１によって供給パッケージ１６.１から引き出される。この供給パッケージ１６.１はクリールフレーム５.１に保持されている。供給ユニット８.１は、操作通路６の上において横桁４に配置されている。
【００３４】
第１の供給ユニット８.１は、後置された第２の供給ユニット２５.１と共に、いわゆるテクスチャリングゾーンを形成しており、このテクスチャリングゾーンおいて糸１８.１は、延伸されかつテクスチャリング加工される。第２の供給ユニット２５.１はそのために、プロセスフレーム２.１の中央領域に保持されている。供給ユニット８.１，２５.１によって形成されたテクスチャリングゾーンの内部において、糸走行方向において相前後して、加熱装置９.１、冷却装置１０.１及びテクスチャリングアセンブリ１１.１が配置されている。テクスチャリングアセンブリ１１.１は、第２の供給ユニット２５.１の直ぐ上においてプロセスフレーム２.１に配置されている。
【００３５】
最大の操作高さを維持するため及び長いテクスチャリングゾーンを実現するために、加熱装置９.１及び冷却装置１０.１は、機械長手方向において傾けられてプロセスフレーム２.１及び横桁４に保持されている。機械半部１.１における加熱装置及び冷却装置の配置形態を説明するために、追加的に図２及び図３を参照する。図２には、プロセスフレーム２.１の一部が側面図で示されている。図３には、操作通路６が平面図で示されている。
【００３６】
図２及び図３の図示から分かるように、加熱装置９.１及び冷却装置１０.１は、１つの共通の糸走路平面を形成しており、このとき糸は、第１の供給ユニット８.１とテクスチャリングアセンブリ１１.１に対応配置されたガイドローラ１３.１との間で、真っ直ぐな走路において案内される。加熱装置９.１及び冷却装置１０.１の傾斜角に関連して、第１の供給ユニット８.１と第２の供給ユニット２５.１との間の加工箇所２４.１におけるずれが調節される。供給ユニット８.１，２５.１は、機械フレーム１.１の異なった横断平面に配置されている。
【００３７】
図１における図示から分かるように、さらなる推移において糸１８.１は、交絡装置（Verwirbelungsaggregat）１５.１に導かれ、次いで、第３の供給ユニット２６.１と第４の供給ユニット２７.１との間において後加熱装置１４.１を通して案内される。後加熱装置１４.１は、後処理ゾーンを形成し、これによって、供給ユニット２６.１と供給ユニット２７.１との間において調節可能な低い糸張力において、糸１８.１におけるリラクゼーション処理を実施することができる。
【００３８】
後加熱装置１４.１及び第３の供給ユニット２６.１は、糸の後処理の場合のためにだけ追加的に使用される。糸材料に後処理を加える必要がない場合に対しては、加工箇所２４.１は後加熱装置１４.１及び第３の供給ユニット２６.１なしに構成される。
【００３９】
図２の図示から明らかなように、後加熱装置１４.１も同様に機械長手方向において傾斜してプロセスフレーム２.１に保持されている。後加熱装置１４.１は好ましくは、上側の加熱装置９.１と同じ傾斜角で方向付けられている。加熱装置９.１及び後加熱装置１４.１を方向付けるための傾斜角は、通常、３０°〜最大６０°の範囲に位置している。基本的には、しかしながらまた、加熱装置９.１及び後加熱装置１４.１のために異なった傾斜角を選択することも可能である。例えば後加熱装置１４.１は加熱装置の構成に応じて、０〜４５°の範囲における傾斜角をもって配置されていてよい。
【００４０】
図３の図示からは特に、両機械半部１.１，１.２において互いに向かい合って位置するように配置された加熱装置９.１，９.２の鏡面対称の配置形態が分かる。加熱装置９.１の傾斜角及び加熱装置９.２の傾斜角は、値において同じ大きさに構成されている。これによって、操作通路６において互いに向かい合って位置する加工箇所２４.１，２４.２において、鏡面対称平面２３を中心にしたプロセスアセンブリの鏡面対称の配置形態を実現することができる。従って、互いに向かい合って位置する加工箇所２４.１，２４.２の第１の供給ユニット８.１，８.２及びテクスチャリングアセンブリ１１.１，１１.２は、それぞれ１つの機械横断平面に配置されている。
【００４１】
図１の図示から分かるように、加工箇所２４.１の端部には巻取りアセンブリ１２.１が設けられており、この巻取りアセンブリ１２.１によって糸１８.１はパッケージ１９.１に巻成される。加工箇所２４.１の巻取りアセンブリ１２.１は、そのために例えば直接、巻取りフレーム３.１の上側領域に配置されていてよい。
【００４２】
巻取りフレーム３.１，３.２は、加工箇所２４.１，２４.２の巻取りアセンブリ１２.１，１２.２を収容するために、操作通路６に向かい合って位置する側においてプロセスフレーム２.１，２.２に直に対応配置されている。巻取りフレーム３.１，３.２はこれによってそれぞれ外側の機械長辺側を形成しており、これらの機械長辺側には、各１つのドッフィング通路７.１，７.２がパッケージを搬出するために対応配置されている。これらのドッフィング通路７.１，７.２は、外側に向かってクリールフレーム５.１，５.２によって画定される。これによってドッフィング通路７.１，７.２は、クリールフレーム５.１，５.２内に保持されている新しい供給パッケージを供給するためにも使用することができる。
【００４３】
図１の図示から分かるように、巻取りフレーム３.１，３.２には複数の巻取りアセンブリが、階層を成して互いに上下に配置されている。例えば、機械半部１.１，１.２の互いに隣接した複数の加工箇所の複数の巻取りアセンブリを、階層状に互いに上下に配置することが通常である。巻取りフレーム３.１，３.２における巻取りアセンブリは、プロセスフレーム２.１，２.２におけるプロセスユニットに比べて著しく大きな幅を有しているので、階層状の配置形態によって、機械半部１.１，１.２のコンパクトな構造形式を実現することができる。
【００４４】
加工箇所２４.１，２４.２の、図１に示した巻取りアセンブリ１２.１，１２.２と隣接した加工箇所の隣接した巻取りアセンブリとは、同じに構成されており、ここでは例えば自動式の巻取りアセンブリとして構成されている。各巻取りアセンブリ１２.１，１２.２はそれぞれ１つの巻取り箇所２８.１；２８.２、パッケージ架台２０.１；２０.２及び巻管マガジン２１.１；２１.２を有している。自動化されたパッケージ交換のために設けられた補助装置は、ここには図示されていない。このような自動式の巻取りアセンブリは、従来技術において一般的に知られており、例えば米国特許第６１８９８２６号明細書に記載されている。従ってここでは、このような自動式の巻取りアセンブリについてさらに言及することは省き、文献名を挙げることに留める。
【００４５】
巻取りアセンブリ１２.１，１２.２において形成されたパッケージ１９.１，１９.２は、機械半部１.１，１.２の該当する機械長辺側において取り出され、ドッフィング通路７.１，７.２を介して搬出される。
【００４６】
図１における図示から分かるように、糸を最初に仕掛けるための又はプロセスアセンブリにおける糸切れ時における、すべての操作過程は、操作員によって操作通路６から実施することができる。そして機械半部１.１，１.２における加工箇所は、それぞれ中央の操作通路６から監視及び操作することができる。
【００４７】
搬送及び延伸のために、加工箇所に設けられた供給ユニットは、部分的にいわゆるニップ式供給ユニット（Klemmlieferwerk）として又は巻掛け式供給ユニット（Umschlingungslieferwerk）として形成されている。ニップ式供給ユニットでは、搬送力は糸をニップすることによって伝達される。巻掛け式供給ユニットでは、必要な搬送力は、糸を複数回巻き掛けることによって生ぜしめられる。特に、巻取りアセンブリの上流側に配置された供給ユニットをニップ式供給ユニットとして構成することが、好適であることが判明している。従って加工箇所２４.１における第４の供給ユニット２７.１は、ニップ式供給ユニットとして示されている。テクスチャリングゾーンに対応配置された供給ユニットは、巻掛け式供給ユニットとして形成されており、例えば駆動されるゴデットと付加された対応ガイドローラ（Ueberlaufrolle）とから形成されている。従って加工箇所２４.１の供給ユニット８.１，２５.１，２６.１は、巻掛け式供給ユニットとして構成されている。
【００４８】
しかしながらここで強調して述べておくと、図１〜図３に示した実施の形態における糸ガイドエレメント及びプロセスアセンブリの配置及び構成は、一例である。従って、供給ユニットは、巻掛け式供給ユニットとニップ式供給ユニットとの間における任意の組合せにおいて変更させることができる。同様に、特に冷却装置とテクスチャリングゾーンとの間に変向部を有しない糸ガイド形態も実施可能である。
【００４９】
１つの操作通路に対する複数のプロセスユニットの中央配置形態は、他の機械コンセプトにおいても好適に使用することができる。例えば図４、図５及び図６には、本発明に係るテクスチャリング加工機の別の実施の形態が示されている。図４は、テクスチャリング加工機の実施の形態が概略的な横断面図で示され、図５及び図６には、それぞれ一部が側面図及び平面図で示されている。
【００５０】
特に図面のうちの１つを指定しない場合には、以下の説明はすべての図面に対するものである。
【００５１】
図４、図５及び図６に示した実施の形態では、プロセスフレーム２.１，２.２がプラットフォーム２２に、互いに対して鏡面対称に配置されており、かつ両機械長辺側に対して中央の操作通路６を有している。プラットフォーム２２は、巻取りフレーム３.１，３.２に支持されており、両巻取りフレーム３.１，３.２はその間に、昇降階段２９を有している。従ってプロセスフレーム２.１，２.２及び巻取りフレーム３.１，３.２の多階層の配置形態が生ぜしめられている。下側の階層においては、巻取りフレーム３.１，３.２にクリールフレーム５.１，５.２が対応配置されており、本実施の形態では、巻取りフレーム３.１とクリールフレーム５.１との間にはドッフィング通路７.１が形成され、巻取りフレーム３.２とクリールフレーム５.２との間にはドッフィング通路７.２が形成されている。
【００５２】
巻取りフレーム３.１，３.２の上における上側の階層には、プロセスフレーム２.１，２.２を備えたプラットフォーム２２が配置されており、プロセスフレーム２.１とプロセスフレーム２.２とは横桁４によって互いに連結されている。プラットフォーム２２は従って操作通路６を形成しており、この操作通路６によって、プロセスフレーム２.１，２.２に保持されたプロセスアセンブリを操作することができる。
【００５３】
図４、図５及び図６に示した、機械半部１.１，１.２の加工箇所２４.１，２４.２は、既に述べた実施の形態とほぼ同じであるので、ここでは相違点だけについて述べ、その他の点については既に述べた説明を参照するものとする。
【００５４】
図５及び図６の図示から分かるように、互いに向かい合って位置する加工箇所２４.１，２４.２のプロセスアセンブリは、鏡面対称平面２３に対して鏡面対称に配置されていない。機械半部１.１における加熱装置９.１と、機械半部１.２における加熱装置９.２とは、互いに平行に機械長手方向において傾斜して配置されている。傾斜角は、両配置形態において同じに形成されているので、加熱装置９.１及び加熱装置９.２はその構造が同じに形成されていてよい。加熱装置９.１，９.２及び後置された冷却装置１０.１，１０.２の平行な配置形態に基づいて、互いに向かい合って位置する加工箇所２４.１，２４.２の第１の供給ユニット８.１，８.２は、ずらされた機械横断面に保持されている。
【００５５】
加工箇所２４.１，２４.２の位置構造はその他の点においては同じであり、プロセスフレーム２.１に保持されたプロセスアセンブリは、既に述べた実施の形態の図３に示した構造に相当する。
【００５６】
加工箇所２４.２のプロセスアセンブリは、特に図５における図示から明らかである。
【００５７】
各加工箇所２４.１，２４.２には、糸走行方向で見て、第１の供給ユニット８.１，８.２、加熱装置９.１，９.２、冷却装置１０.１，１０.２、テクスチャリングアセンブリ１１.１，１１.２、第２の供給ユニット２５.１，２５.２、交絡装置１５.１，１５.２、第３の供給ユニット２６.１，２６.２、後加熱装置１４.１，１４.２及び第４の供給ユニット２７.１，２７.２が配置されている。加熱装置９.１，９.２及び後加熱装置１４.１，１４.２の傾斜が平行に方向付けられていることによって、加工箇所２４.１と加工箇所２４.２との間には、ずれが形成されている。この配置形態には、鏡面対称に配置されたプロセスフレーム２.１，２.２において同じプロセスアセンブリを使用することができるという利点がある。従って加熱装置９.１，９.２及び後加熱装置１４.１，１４.２は、同一構造にかつ相互に交換可能に構成されている。
【００５８】
加熱装置９.１の例において図６に符号αで示された傾斜角は、同じに構成されている。
【００５９】
図４に示した加工箇所では、加工箇所２４.１，２４.２の巻取りアセンブリ１２.１，１２.２は、自動化されていない巻取りユニットによって形成されている。この場合パッケージ交換は、操作員によって手動で実施される。巻取りアセンブリ１２.１，１２.２の操作は、ドッフィング通路７.１，７.２から行われる。
【００６０】
これに対して、プロセスアセンブリにおけるサービス作業は、上側の操作通路６における操作員によって実施される。
【００６１】
しかしながらさらに付言すれば、基本的には、加熱装置９.１，９.２及び後加熱装置１４.１，１４.２は、上に述べた実施の形態において、機械長手方向における傾きを有する傾斜位置なしに配置されてもよい。従って加熱装置及び冷却装置も、プロセスフレーム及び巻取りフレームの上における上部構造に配置することができる。このとき重要なのは、すべてのプロセスアセンブリの操作が、中央において、プロセスフレームの間に形成された操作通路から可能なことである。
【符号の説明】
【００６２】
１.１，１.２  機械半部
２.１，２.２  プロセスフレーム
３.１，３.２  巻取りフレーム
４  横桁
５.１，５.２  クリールフレーム
６  操作通路
７.１，７.２  ドッフィング通路
８.１，８.２  第１の供給ユニット
９.１，９.２  加熱装置
１０.１，１０.２  冷却装置
１１.１，１１.２  テクスチャリングアセンブリ
１２.１，ｌ２.２  巻取りアセンブリ
１３.１，１３.２  ガイドローラ
１４.１，１４.２  後加熱装置
１５.１，１５.２  交絡装置
１６.１，１６.２  供給パッケージ
１７.１，１７.２  リザーブパッケージ
１８.１，１８.２  糸
１９.１，１９.２  パッケージ
２０.１，２０.２  パッケージ架台
２１.１，２１.２  巻管マガジン
２２  プラットフォーム
２３  鏡面対称平面
２４.１，２４.２  加工箇所
２５.１，２５.２  第２の供給ユニット
２６.１，２６.２  第３の供給ユニット
２７.１，２７.２  第４の供給ユニット
２８.１，２８.２  巻取り箇所
２９  昇降階段
【図１】
0006351712.tif 000002
【図２】
0006351712.tif 000003
【図３】
0006351712.tif 000004
【図４】
0006351712.tif 000005
【図５】
0006351712.tif 000006
【図６】
0006351712.tif 000007